(57)【要約】【課題】プレビュー画像を確認した後にプレビュー画像データを削除することができる画像形成システム及び携帯端末を提供する。【解決手段】図３（１）に示すように画像形成装置１００に原稿をセットし、図３（２）に示すように携帯端末２００に原稿印刷画面８００を表示し、「プレビュー画像表示」ボタン８１０をポイントすると、図３（２）に示すように携帯端末２００がプレビュー画像データ要求通知を画像形成装置１００に送信する。次いで、図３（３）に示すように画像形成装置１００がプレビュー画像データを携帯端末２００に送信する。次いで、携帯端末２００が操作パネル２３０に原稿のプレビュー画像と「確認」ボタン８３０を表示し、「確認」ボタン８３０がポイントされると、図３（４）に示すように携帯端末２００がプレビュー画像データ削除通知を画像形成装置１００に送信し、画像形成装置１００が記憶しているプレビュー画像データを削除する。【選択図】図３
2015194991.tif 000002
【特許請求の範囲】
【請求項１】
携帯端末と画像形成装置とを有する画像形成システムであって、
前記携帯端末は、
前記画像形成装置にプレビュー画像データ要求通知を送信するプレビュー画像データ要求通知送信手段と、
前記画像形成装置からプレビュー画像データを受信するプレビュー画像データ受信手段と、
前記プレビュー画像データの画像を表示するプレビュー画像表示手段と、
プレビュー画像が確認されたことを入力するプレビュー画像確認入力手段と、
前記画像形成装置にプレビュー画像データ削除通知を送信するプレビュー画像データ削除通知送信手段と
を備え、
前記画像形成装置は、
前記携帯端末から前記プレビュー画像データ要求通知を受信するプレビュー画像データ要求通知受信手段と、
画像データから前記プレビュー画像データを作成するプレビュー画像データ作成手段と、
前記携帯端末に前記プレビュー画像データを送信するプレビュー画像データ送信手段と、
前記携帯端末から前記プレビュー画像データ削除通知を受信するプレビュー画像データ削除通知受信手段と、
前記画像形成装置に記憶されている前記プレビュー画像データを削除する画像形成装置プレビュー画像データ削除手段と
を備え、
前記携帯端末はプレビュー画像が確認されたことを入力すると、前記画像形成装置に前記プレビュー画像データ削除通知が送信され、前記画像形成装置が前記プレビュー画像データを削除することを特徴とする画像形成システム。
【請求項２】
前記携帯端末は、
前記携帯端末に記憶されている前記プレビュー画像データを削除する携帯端末プレビュー画像データ削除手段を備え、
前記携帯端末はプレビュー画像が確認されたことを入力すると、前記携帯端末が前記プレビュー画像データを削除することを特徴とする請求項１に記載の画像形成システム。
【請求項３】
前記携帯端末は、
プレビュー画像表示とプリント画像出力の項目が設けられた原稿印刷画面を表示する原稿印刷画面表示手段を備え、
前記原稿印刷画面から前記プレビュー画像表示の項目がポイントされたときに前記プレビュー画像データ要求通知を前記画像形成装置に送信し、前記プリント画像出力の項目がポイントされたときにプリント画像出力要求通知を前記画像形成装置に送信することを特徴とする請求項１または請求項２に記載の画像形成システム。
【請求項４】
前記画像形成装置は、
原稿を読み取る原稿読取手段と、
前記原稿読取手段で読み取った前記原稿の前記画像データを作成する画像処理手段と
を備え、
前記プレビュー画像データ要求通知を受信すると前記原稿読取手段により原稿を読み取り、前記画像処理手段により前記原稿の前記画像データを作成することを特徴とする請求項１から請求項３のいずれか１項に記載の画像形成システム。
【請求項５】
前記原稿読取手段は設定されたページ数の原稿だけを第１ページ目から順に読み取り、前記画像処理手段は読み取られた原稿の前記画像データを作成し、前記プレビュー画像データ作成手段は前記画像データから前記プレビュー画像データを作成することを特徴とする請求項４に記載の画像形成システム。
【請求項６】
前記画像形成装置は、
前記画像データからプリント画像データを作成するプリント画像データ作成手段を備え、
前記プリント画像出力要求通知を受信すると、前記原稿読取手段により原稿の残りのページを読み取り、前記画像処理手段により読み取られた原稿の前記画像データを作成し、前記プリント画像データ作成手段により原稿の全ページの前記画像データから前記プリント画像データを作成することを特徴とする請求項５に記載の画像形成システム。
【請求項７】
前記設定されたページ数は第１ページの１枚のみであることを特徴とする請求項５または請求項６に記載の画像形成システム。
【請求項８】
前記画像形成装置は、前記プリント画像データを印刷すると、記憶している前記プリント画像データを削除することを特徴とする請求項６または請求項７のいずれか１項に記載の画像形成システム。
【請求項９】
前記画像形成装置と前記携帯端末は、ネットワークにより接続することを特徴とする請求項１から請求項８のいずれか１項に記載の画像形成システム。
【請求項１０】
前記画像形成装置と前記携帯端末は、近距離無線通信により接続することを特徴とする請求項１から請求項９のいずれか１項に記載の画像形成システム。
【請求項１１】
前記画像形成装置と前記携帯端末は、インターネットにより接続することを特徴とする請求項１から請求項１０のいずれか１項に記載の画像形成システム。
【請求項１２】
画像形成装置にプレビュー画像データ要求通知を送信するプレビュー画像データ要求通知送信手段と、
前記画像形成装置からプレビュー画像データを受信するプレビュー画像データ受信手段と、
前記プレビュー画像データの画像を表示するプレビュー画像表示手段と、
プレビュー画像が確認されたことを入力するプレビュー画像確認入力手段と、
前記画像形成装置にプレビュー画像データ削除通知を送信するプレビュー画像データ削除通知送信手段と
を備え、
前記プレビュー画像が確認されたことを入力すると、前記画像形成装置に前記プレビュー画像データ削除通知が送信されることを特徴とする携帯端末。
【請求項１３】
記憶されている前記プレビュー画像データを削除するプレビュー画像データ削除手段を備え、
前記プレビュー画像が確認されたことを入力すると、前記プレビュー画像データを削除することを特徴とする請求項１２に記載の携帯端末。
【請求項１４】
プレビュー画像表示とプリント画像出力の項目が設けられた原稿印刷画面を表示する原稿印刷画面表示手段を備え、
前記原稿印刷画面から前記プレビュー画像表示の項目がポイントされたときに前記プレビュー画像データ要求通知を前記画像形成装置に送信し、前記プリント画像出力の項目がポイントされたときにプリント画像出力要求通知を前記画像形成装置に送信することを特徴とする請求項１２または請求項１３に記載の携帯端末。
【発明の詳細な説明】
【技術分野】
【０００１】
本発明は、画像形成装置から受信した画像の印刷イメージ（以下、「プレビュー」という）を携帯端末に表示する画像形成システム、及び携帯端末に関する。
【背景技術】
【０００２】
プリンター、多機能プリンター、多機能周辺装置、又は複合機（Ｍｕｌｔｉｆｕｎｃｔｉｏｎ  Ｐｅｒｉｐｈｅｒａｌ）である画像形成装置は、読み取った原稿の画像データから作成するプレビューの画像データ（以下、「プレビュー画像データ」という）を携帯電話、スマートフォン、またはタブレット端末などの携帯端末に無線通信により送信することができる。また、携帯端末が画像形成装置からプレビュー画像データを受信し、携帯端末の操作パネルにプレビュー画像を表示することで、ユーザーは手元のプレビュー画像を確認することができる。例えば、特許文献１の印刷システム、印刷装置、および印刷方法では、印刷装置（画像形成装置）とネットワークを介して接続されているパソコン、情報端末、ファクシミリなどの外部機器（携帯端末）から印刷装置に対してリモートアクセスにより印刷プレビュー要求を送信すると、印刷装置が外部機器の表示機能に応じた印刷プレビュー画像を作成して外部機器に適正な印刷プレビュー画像を表示できるようにしている。また、印刷装置が外部機器に印刷プレビュー画像を供給した後に外部機器からの印刷実行指示が無い状態で一定時間が経過したときに、印刷プレビュー要求に係る画像データや印刷プレビューデータを消去（削除）するようにしている。
【先行技術文献】
【特許文献】
【０００３】
【特許文献１】特開２００４−１９２１６２号公報
【発明の概要】
【発明が解決しようとする課題】
【０００４】
しかし、特許文献１では、外部機器からの印刷実行指示が無い状態で一定時間が経過したときに、印刷プレビュー要求に係る画像データや印刷プレビューデータを消去しているが、印刷実行指示があるときには、印刷プレビュー要求に係る画像データや印刷プレビューデータを消去していない。このため、印刷装置に印刷プレビューデータが記憶されたままとなるので、印刷装置のメモリーやディスクの空き容量が減少し、更に機密扱いとなっている原稿の印刷プレビューデータが消去されないで残っているので、機密漏洩するという問題があった。また、ページ数が多い原稿では、プレビューデータの容量が大きくなり、使用できるメモリー容量が限られている画像形成装置ではプレビュー機能を搭載できないという問題があった。
【０００５】
本発明はこのような状況に鑑みてなされたものであり、上記課題を解決できる画像形成システム、及び携帯端末を提供することを目的とする。
【課題を解決するための手段】
【０００６】
本発明の画像形成システムは、携帯端末と画像形成装置とを有する画像形成システムであって、前記携帯端末は、前記画像形成装置にプレビュー画像データ要求通知を送信するプレビュー画像データ要求通知送信手段と、前記画像形成装置からプレビュー画像データを受信するプレビュー画像データ受信手段と、前記プレビュー画像データの画像を表示するプレビュー画像表示手段と、プレビュー画像が確認されたことを入力するプレビュー画像確認入力手段と、前記画像形成装置にプレビュー画像データ削除通知を送信するプレビュー画像データ削除通知送信手段とを備え、前記画像形成装置は、前記携帯端末から前記プレビュー画像データ要求通知を受信するプレビュー画像データ要求通知受信手段と、画像データから前記プレビュー画像データを作成するプレビュー画像データ作成手段と、前記携帯端末に前記プレビュー画像データを送信するプレビュー画像データ送信手段と、前記携帯端末から前記プレビュー画像データ削除通知を受信するプレビュー画像データ削除通知受信手段と、前記画像形成装置に記憶されている前記プレビュー画像データを削除する画像形成装置プレビュー画像データ削除手段とを備え、前記携帯端末はプレビュー画像が確認されたことを入力すると、前記画像形成装置に前記プレビュー画像データ削除通知が送信され、前記画像形成装置が前記プレビュー画像データを削除することを特徴としている。
また、本発明の画像形成システムの前記携帯端末は、前記携帯端末に記憶されている前記プレビュー画像データを削除する携帯端末プレビュー画像データ削除手段を備え、前記携帯端末はプレビュー画像が確認されたことを入力すると、前記携帯端末が前記プレビュー画像データを削除することを特徴としている。
また、本発明の画像形成システムの前記携帯端末は、プレビュー画像表示とプリント画像出力の項目が設けられた原稿印刷画面を表示する原稿印刷画面表示手段を備え、前記原稿印刷画面から前記プレビュー画像表示の項目がポイントされたときに前記プレビュー画像データ要求通知を前記画像形成装置に送信し、前記プリント画像出力の項目がポイントされたときにプリント画像出力要求通知を前記画像形成装置に送信することを特徴としている。
また、本発明の画像形成システムの前記画像形成装置は、原稿を読み取る原稿読取手段と、前記原稿読取手段で読み取った前記原稿の前記画像データを作成する画像処理手段とを備え、前記プレビュー画像データ要求通知を受信すると前記原稿読取手段により原稿を読み取り、前記画像処理手段により前記原稿の前記画像データを作成することを特徴としている。
また、本発明の画像形成システムは、前記原稿読取手段は設定されたページ数の原稿だけを第１ページ目から順に読み取り、前記画像処理手段は読み取られた原稿の前記画像データを作成し、前記プレビュー画像データ作成手段は前記画像データから前記プレビュー画像データを作成することを特徴としている。
また、本発明の画像形成システムの前記画像形成装置は、前記画像データからプリント画像データを作成するプリント画像データ作成手段を備え、前記プリント画像出力要求通知を受信すると、前記原稿読取手段により原稿の残りのページを読み取り、前記画像処理手段により読み取られた原稿の前記画像データを作成し、前記プリント画像データ作成手段により原稿の全ページの前記画像データから前記プリント画像データを作成することを特徴としている。
また、本発明の画像形成システムは、前記設定されたページ数は第１ページの１枚のみであることを特徴としている。
また、本発明の画像形成システムの前記画像形成装置は、前記プリント画像データを印刷すると、記憶している前記プリント画像データを削除することを特徴としている。
また、本発明の画像形成システムの前記画像形成装置と前記携帯端末は、ネットワークにより接続することを特徴としている。
また、本発明の画像形成システムの前記画像形成装置と前記携帯端末は、近距離無線通信により接続することを特徴としている。
また、本発明の画像形成システムの前記画像形成装置と前記携帯端末は、インターネットにより接続することを特徴としている。
本発明の携帯端末は、画像形成装置にプレビュー画像データ要求通知を送信するプレビュー画像データ要求通知送信手段と、前記画像形成装置からプレビュー画像データを受信するプレビュー画像データ受信手段と、前記プレビュー画像データの画像を表示するプレビュー画像表示手段と、プレビュー画像が確認されたことを入力するプレビュー画像確認入力手段と、前記画像形成装置にプレビュー画像データ削除通知を送信するプレビュー画像データ削除通知送信手段とを備え、前記プレビュー画像が確認されたことを入力すると、前記画像形成装置に前記プレビュー画像データ削除通知が送信されることを特徴としている。
また、本発明の携帯端末は、記憶されている前記プレビュー画像データを削除するプレビュー画像データ削除手段を備え、前記プレビュー画像が確認されたことを入力すると、前記プレビュー画像データを削除することを特徴としている。
また、本発明の携帯端末は、プレビュー画像表示とプリント画像出力の項目が設けられた原稿印刷画面を表示する原稿印刷画面表示手段を備え、前記原稿印刷画面から前記プレビュー画像表示の項目がポイントされたときに前記プレビュー画像データ要求通知を前記画像形成装置に送信し、前記プリント画像出力の項目がポイントされたときにプリント画像出力要求通知を前記画像形成装置に送信することを特徴としている。
【発明の効果】
【０００７】
本発明の画像形成システム、及び携帯端末は、プレビュー画像を確認した後にプレビュー画像データを削除することができ、また、メモリーの消費を抑制できるプレビュー機能を提供する。
【図面の簡単な説明】
【０００８】
【図１】本発明の実施形態１に係る画像形成システムの構成を示す図である。
【図２】図１に示す画像形成システムの画像形成装置と携帯端末の機能構成を示す図である。
【図３】本発明の実施形態１に係る原稿のプレビュー画像を確認する操作手順を示す図である。
【図４】本発明の実施形態１に係る携帯端末のプレビュー画像確認処理の流れを示すフローチャートである。
【図５】本発明の実施形態２に係る原稿のプレビュー画像を確認する操作手順を示す図である。
【発明を実施するための形態】
【０００９】
以下、本発明を実施するための第１の実施形態（以下、「実施形態１」という）を、図面を参照して説明する。実施形態１では、ユーザーが携帯端末の操作により画像形成装置の原稿台にセットした原稿から印刷可能なイメージの画像データ（以下、「プリント画像データ」という）とプレビュー画像データを作成して画像形成装置に記憶する。また、画像形成装置は、プレビュー画像データを携帯端末に送信すると、携帯端末はプレビュー画像データを記憶してから操作パネルに表示する。ユーザーが表示されたプレビュー画像の確認を行うと、携帯端末と画像形成装置に記憶しているプレビュー画像データを削除する。
【００１０】
まず、本実施形態１の画像形成システム１０のシステム構成について、図１を用いて説明する。図１に示すように、画像形成システム１０は、複数の画像形成装置１００、複数の携帯端末２００、アクセスポイント３００、ネットワーク４００、ルーター５００、インターネット６００、及びアクセスポイント７００により構成されている。画像形成装置１００とアクセスポイント３００はネットワーク４００に接続され、ネットワーク４００はルーター５００を経由してインターネット６００に接続されている。
【００１１】
画像形成装置１００は、プリンター、多機能プリンター、多機能周辺装置、または複合機であり、近距離無線通信、アクセスポイント３００、またはインターネット６００により携帯端末２００とデータの送受信を行うことができる。
【００１２】
携帯端末２００は、携帯電話、スマートフォン、またはタブレット端末等であり、近距離無線通信、ネットワーク４００のアクセスポイント３００、またはインターネット６００のアクセスポイント７００により画像形成装置１００とデータの送受信を行うことができる。
【００１３】
アクセスポイント３００は、ネットワーク４００に接続され、無線通信によりアクセスポイント３００に対して接続要求を行っている携帯端末２００をネットワーク４００に接続する。
【００１４】
ネットワーク４００は、ＬＡＮ（Local Area Network）などのネットワーク(イントラネット等)であり、複数の画像形成装置１００と、アクセスポイント３００が接続されている。
【００１５】
ルーター５００は、ネットワーク４００に接続され、ネットワーク４００をインターネット６００に接続する。
【００１６】
インターネット６００は、インターネットやイントラネット等のＩＰネットワークであり、複数の携帯端末２００がアクセスポイント７００を経由して接続する。
【００１７】
次に、画像形成システム１０の画像形成装置１００と携帯端末２００の機能構成について、図２を用いて説明する。図２に示す画像形成装置１００と携帯端末２００は、図１に示す画像形成システム１０において、ネットワーク４００に接続する１台の画像形成装置１００と、アクセスポイント３００によりネットワーク４００に接続する１台の携帯端末２００の機能構成を示す。また、図１に示す他の画像形成装置１００及び携帯端末２００についても同様の機能構成である。
【００１８】
まず、画像形成装置１００の機能構成について、説明する。図２に示す画像形成装置１００は、制御部１１０、メモリー部１２０、記憶部１３０、操作パネル１４０、操作パネル処理部１５０、原稿読取部１６０、画像処理部１７０、近距離無線通信部１８０、及びネットワーク通信部１９０を備え、これら各部はバスなどにより接続される構成となっている。制御部１１０には、プリント画像作成処理部１１０ａ、プレビュー画像作成処理部１１０ｂ、プレビュー画像送信処理部１１０ｃ、及びプレビュー画像データ削除処理部１１０ｄが設けられている。メモリー部１２０には、画像データ記憶エリア１２０ａが設けられている。記憶部１３０には、プリント画像データ記憶エリア１３０ａとプレビュー画像データ記憶エリア１３０ｂが設けられている。
【００１９】
制御部１１０は、ＲＡＭやＲＯＭ等の主記憶手段、及びＣＰＵ(Central Processing Unit)等の制御手段を備えている。また、制御部１１０は、各種Ｉ／Ｏや、ＵＳＢ（ユニバーサル・シリアル・バス）等のインターフェイス、バスコントローラー等を含む総合的な画像形成装置１００の制御を行う。
プリント画像作成処理部１１０ａは、画像データ記憶エリア１２０ａから画像データを取り出し、この画像データからプリント画像データを作成し、プリント画像データ記憶エリア１３０ａに記憶する。
プレビュー画像作成処理部１１０ｂは、画像データ記憶エリア１２０ａから画像データを取り出し、この画像データからプレビュー画像データを作成し、プレビュー画像データ記憶エリア１３０ｂに記憶する。
プレビュー画像送信処理部１１０ｃは、プレビュー画像データ記憶エリア１３０ｂからプレビュー画像データを取り出し、携帯端末２００に送信する。
プレビュー画像データ削除処理部１１０ｄは、携帯端末２００からプレビュー画像データ削除通知を受信すると、プレビュー画像データ記憶エリア１３０ｂからプレビュー画像データを削除する。
【００２０】
メモリー部１２０は、フラッシュメモリー等の補助記憶装置で、制御部１１０が実行する処理のプログラムやデータを記憶する。
画像データ記憶エリア１２０ａは、原稿読取部１６０から読み取った画像データや、ネットワーク通信部１９０を経由して他の画像形成装置１００や携帯端末２００から受信した画像データを記憶する。なお、画像データ記憶エリア１２０ａに記憶される画像データは、画像データに対応するプリント画像データを印刷したときに削除される。
【００２１】
記憶部１３０は、データやプログラムを記憶するハードディスクドライブである。
プリント画像データ記憶エリア１３０ａは、プリント画像作成処理部１１０ａが画像データから作成したプリント画像データを記憶する。
プレビュー画像データ記憶エリア１３０ｂは、プレビュー画像作成処理部１１０ｂが画像データから作成したプレビュー画像データを記憶する。
【００２２】
操作パネル１４０は、操作画面、プリント画像データやプレビュー画像データの画像の表示と、ユーザーによる操作受け付けを行う液晶パネルである。
【００２３】
操作パネル処理部１５０は、画像形成装置１００が備えている機能に対する操作項目を操作パネル１４０に表示する処理、プリント画像データやプレビュー画像データの画像を操作パネル１４０に表示する処理、または操作パネル１４０からユーザーの操作を入力する処理を行う。
【００２４】
原稿読取部１６０は、ユーザーによる操作パネル１４０から読み取り操作、または携帯端末２００からのプレビュー画像データ要求通知により、画像形成装置１００の原稿台にセットされた原稿の読み取りを行い、読み取った原稿データを画像処理部１７０に出力する。
【００２５】
画像処理部１７０は、原稿読取部１６０が読み取った原稿データを入力すると、画像形成装置１００で処理可能な画像データに変換する。
【００２６】
近距離無線通信部１８０は、近距離無線通信規格であるBluetooth（登録商標）や赤外線通信により携帯端末２００と近距離での直接通信を行う。
【００２７】
ネットワーク通信部１９０は、着脱可能なＬＡＮインターフェイスを備え、ネットワーク４００に接続する。
【００２８】
次に、携帯端末２００の機能構成について、説明する。図２に示す携帯端末２００は、制御部２１０、メモリー部２２０、操作パネル２３０、操作パネル処理部２４０、近距離無線通信部２５０、及びネットワーク通信部２６０を備え、これら各部はバスなどにより接続される構成となっている。制御部２１０には、プレビュー画像表示要求処理部２１０ａとプレビュー画像確認処理部２１０ｂが設けられている。メモリー部２２０には、プレビュー画像データ記憶エリア２２０ａが設けられている。
【００２９】
制御部２１０は、ＲＡＭやＲＯＭ等の主記憶手段、及びＣＰＵ(Central Processing Unit)等の制御手段を備えている。また、制御部２１０は、各種Ｉ／Ｏや、ＵＳＢ（ユニバーサル・シリアル・バス）等のインターフェイス、バスコントローラー等を含む総合的な携帯端末２００の制御を行う。
プレビュー画像表示要求処理部２１０ａは、画像形成装置１００に対してプレビュー画像データ要求通知を送信し、画像形成装置１００からプレビュー画像データを受信すると、プレビュー画像データをプレビュー画像データ記憶エリア２２０ａに記憶する。
プレビュー画像確認処理部２１０ｂは、プレビュー画像データ記憶エリア２２０ａからプレビュー画像データを取り出し、プレビュー画像データの画像を操作パネル２３０に表示する。プレビュー画像確認処理部２１０ｂが実行するプレビュー画像確認処理の詳細については、後述する。
【００３０】
メモリー部２２０は、フラッシュメモリー等の補助記憶装置で、制御部２１０が実行する処理のプログラムやデータを記憶する。
プレビュー画像データ記憶エリア２２０ａは、画像形成装置１００から受信するプレビュー画像データを記憶する。
【００３１】
操作パネル２３０は、操作画面、プレビュー画像データの画像の表示と、ユーザーによる操作受け付けを行う液晶パネルである。
【００３２】
操作パネル処理部２４０は、携帯端末２００が備えている機能に対する操作項目を操作パネル２３０に表示する処理、プレビュー画像データの画像を操作パネル２３０に表示する処理、または操作パネル２３０からユーザーの操作を入力する処理を行う。
【００３３】
近距離無線通信部２５０は、近距離無線通信規格であるBluetooth（登録商標）や赤外線通信により画像形成装置１００と近距離での直接通信を行う。
【００３４】
ネットワーク通信部２６０は、アクセスポイント３００を経由してネットワーク４００に接続する。また、ネットワーク通信部２６０は、アクセスポイント７００を経由してインターネット６００に接続する。
【００３５】
次に、実施形態１における原稿のプレビュー画像を確認する操作手順について、図３を用いて説明する。
まず、図３（１）に示すようにユーザーが画像形成装置１００の原稿台に原稿をセットし、ユーザーが携帯端末２００の操作パネル２３０から原稿印刷画面８００を表示する操作を行うと、図３（２）に示すように操作パネル２３０に原稿印刷画面８００が表示される。次いで、ユーザーが原稿印刷画面８００の「プレビュー画像表示」ボタン８１０をポイントすると、携帯端末２００は、プレビュー画像データ要求通知を画像形成装置１００に送信する。次いで、画像形成装置１００がプレビュー画像データ要求通知を受信すると、画像形成装置１００が原稿台にセットされている原稿を読み取り、図３（３）に示すように画像形成装置１００がプレビュー画像データを携帯端末２００に送信する。携帯端末２００がプレビュー画像データを受信すると、操作パネル２３０に原稿のプレビュー画像と「確認」ボタン８３０を表示する。次いで、ユーザーが操作パネル２３０に表示された原稿のプレビュー画像を確認し、「確認」ボタン８３０をポイントすると、図３（４）に示すように操作パネル２３０に表示された原稿のプレビュー画像と「確認」ボタン８３０が消去されて原稿印刷画面８００が再表示され、携帯端末２００はプレビュー画像データ削除通知を画像形成装置１００に送信する。画像形成装置２００は、プレビュー画像データ削除通知を受信すると、プレビュー画像データ記憶エリア１３０ｂに記憶されているプレビュー画像データを削除する。また、携帯端末２００は、プレビュー画像データ記憶エリア２２０ａに記憶されているプレビュー画像データを削除する。このような操作手順により、ユーザーは、原稿のプレビュー画像を確認した後に原稿のプレビュー画像データを削除することができる。
【００３６】
また、ユーザーが原稿のプレビュー画像を確認した後に、操作パネル２３０に表示されている図３（４）に示す原稿印刷画面８００の「プリント画像出力」ボタン８２０をポイントすると、携帯端末２００からプリント画像出力通知が画像形成装置１００に送信される。画像形成装置１００は、プリント画像出力通知を受信すると、プリント画像作成処理部１１０ａが画像データ記憶エリア１２０ａから画像データを取り出し、この画像データからプリント画像データを作成し、プリント画像データ記憶エリア１３０ａに記憶する。次いで、画像形成装置１００は、プリント画像データ記憶エリア１３０ａからプリント画像データを取り出して印刷する。このように、プリント画像データが印刷されることでプリント画像データ記憶エリア１３０ａからプリント画像データを削除する。
【００３７】
次に、携帯端末２００から原稿のプレビュー画像を表示し、プレビュー画像を確認した後にプレビュー画像データを削除する手順について、図４のフローチャートを用いて更に詳しく説明する。
【００３８】
まず、ユーザーが画像形成装置１００の原稿台に原稿をセットし、携帯端末２００の操作パネル２３０から原稿印刷画面８００を表示する操作を行うと、操作パネル処理部２４０が原稿印刷画面８００を操作パネル２３０に表示する。次に、ユーザーが原稿印刷画面８００から「プレビュー画像表示」８１０をポイントすると、操作パネル処理部２４０からプレビュー画像表示要求通知が制御部２１０に出力される。制御部２１０は、プレビュー画像表示要求通知を入力すると、プレビュー画像表示要求処理部２１０ａを起動する。次に、プレビュー画像表示要求処理部２１０ａは、画像形成装置１００に対してプレビュー画像データ要求通知を送信する。画像形成装置１００がプレビュー画像データ要求通知を受信すると、原稿読取部１６０が読み取った原稿のプレビュー画像データを携帯端末２００に送信する。プレビュー画像表示要求処理部２１０ａがプレビュー画像データを受信すると、プレビュー画像データ記憶エリア２２０ａに記憶する。次に、制御部２１０は、プレビュー画像表示要求処理部２１０ａがプレビュー画像表示要求処理を終了したことを検出すると、プレビュー画像確認処理部２１０ｂを起動する。次に、プレビュー画像確認処理部２１０ｂがプレビュー画像確認処理を開始する。以下、図４に示すプレビュー画像確認処理のフローチャートのステップ順に説明する。
【００３９】
（ステップＳ１０１）
まず、プレビュー画像確認処理部２１０ｂは、プレビュー画像データ記憶エリア２２０ａからプレビュー画像データを取り出す。
【００４０】
（ステップＳ１０２）
次いで、プレビュー画像確認処理部２１０ｂは、プレビュー画像データのプレビュー画像と「確認」ボタン８３０を合成した画像を作成し、操作パネル処理部２４０により操作パネル２３０に表示する。
【００４１】
（ステップＳ１０３）
次いで、プレビュー画像確認処理部２１０ｂは、「確認」ボタン８３０がポイントされたことを操作パネル処理部２４０から通知されるまで待ち状態とし、「確認」ボタン８３０がポイントされたことを通知されるとステップＳ１０４に進む。
【００４２】
（ステップＳ１０４）
次いで、プレビュー画像確認処理部２１０ｂは、操作パネル２３０に表示されているプレビュー画像と「確認」ボタン８３０を合成した画像を消去し、原稿印刷画面８００を再び表示する。
【００４３】
（ステップＳ１０５）
次いで、プレビュー画像確認処理部２１０ｂは、プレビュー画像データ削除通知をネットワーク通信部２６０により画像形成装置１００に送信する。
【００４４】
（ステップＳ１０６）
次いで、プレビュー画像確認処理部２１０ｂは、プレビュー画像データ記憶エリア２２０ａに記憶されているプレビュー画像データを削除し、プレビュー画像確認処理を終了する。
【００４５】
以上の実施形態１により、ユーザーがプレビュー画像を確認した後に、画像形成装置１００は、プレビュー画像データ削除通知を受信すると、プレビュー画像データ削除処理部１１０ｄによりプレビュー画像データ記憶エリア１３０ｂに記憶されているプレビュー画像データを削除するので、印刷実行指示の有無に関係なくプレビュー画像データを削除することができる。また、携帯端末２００は画像形成装置１００からプレビュー画像データを受信すると、すぐに操作パネル２３０にプレビュー画像を表示する。これにより、ユーザーはプレビュー画像の確認を忘れずにすぐに行うことができるので、原稿のプレビュー画像データが画像形成装置１００に記憶されたままとなることによるメモリーやディスクの空き容量の減少、機密扱いとなっている原稿のプレビュー画像データの漏洩を防止できる。
【００４６】
なお、実施形態１においては、１台の携帯端末２００から画像形成装置１００に対してプレビュー画像データ要求通知やプリント画像出力通知が送信される場合について説明したが、これに限定されない。複数の携帯端末２００から画像形成装置１００に対してプレビュー画像データ要求通知やプリント画像出力通知が送信された場合でも、同様に実施することができる。
【００４７】
例えば、まず、ユーザーＡが原稿台に原稿をセットし、携帯端末２００からユーザーＩＤを入力して、プレビュー画像表示要求を行うと、ユーザーＡのユーザーＩＤが格納されたプレビュー画像データ要求通知が画像形成装置１００に送信される。画像形成装置１００は、プレビュー画像データ要求通知を受信すると、原稿台にセットされた全ページの原稿を読み取り、画像データ記憶エリア１２０ａのユーザーＡのエリアに読み取った原稿の画像データを記憶する。画像形成装置１００は、原稿のプレビュー画像データを作成すると、ユーザーＡの携帯端末２００に送信する。次に、ユーザーＢが原稿台に原稿をセットし、携帯端末２００からユーザーＩＤを入力して、プレビュー画像表示要求を行うと、ユーザーＢのユーザーＩＤが格納されたプレビュー画像データ要求通知が画像形成装置１００に送信される。画像形成装置１００は、プレビュー画像データ要求通知を受信すると、原稿台にセットされた全ページの原稿を読み取り、画像データ記憶エリア１２０ａのユーザーＢのエリアに読み取った原稿の画像データを記憶する。画像形成装置１００は、原稿のプレビュー画像データを作成すると、ユーザーＢの携帯端末２００に送信する。次に、ユーザーＡが携帯端末２００からユーザーＩＤを入力して、プリント画像出力要求を行うと、ユーザーＡのユーザーＩＤが格納されたプリント画像出力通知が画像形成装置１００に送信される。画像形成装置１００は、プリント画像出力通知を受信すると、画像データ記憶エリア１２０ａのユーザーＡのエリアから画像データを取り出し、画像データからプリント画像データを作成すると、プリント画像データを印刷する。次に、ユーザーＢが携帯端末２００からユーザーＩＤを入力して、プリント画像出力要求を行うと、ユーザーＢのユーザーＩＤが格納されたプリント画像出力通知が画像形成装置１００に送信される。画像形成装置１００は、プリント画像出力通知を受信すると、画像データ記憶エリア１２０ａのユーザーＢのエリアから画像データを取り出し、画像データからプリント画像データを作成すると、プリント画像データを印刷する。このプリント画像出力要求は、ユーザーＢが先でユーザーＡが後であってもよい。
【００４８】
このように、画像形成装置１００の画像データ記憶エリア１２０ａにユーザーＡとユーザーＢのユーザーエリアを設け、またプレビュー画像データ要求通知やプリント画像出力通知がどのユーザーから要求されたかをユーザーＩＤなどで識別できるようにすることで、複数の携帯端末２００からの画像形成装置１００に対してプレビュー画像データ要求通知やプリント画像出力通知が送信された場合でも、プレビュー画像の確認後にプレビュー画像データを削除し、プリント画像データを印刷した後にプリント画像データを削除することができる。
【００４９】
次に、本発明を実施するための第２の実施形態（以下、「実施形態２」という）を、図面を参照して説明する。実施形態２では、ユーザーが携帯端末の操作により画像形成装置の原稿台にセットした原稿の最初に読み取るページ（以下、「第１ページ」という）のプレビュー画像データだけを作成して画像形成装置に記憶する。また、画像形成装置は、原稿の第１ページのプレビュー画像データを携帯端末に送信すると、携帯端末はプレビュー画像データを記憶してから操作パネルに表示する。ユーザーが表示されたプレビュー画像の確認を行うと、携帯端末と画像形成装置に記憶しているプレビュー画像データを削除する。
【００５０】
実施形態２の画像形成システムの機能構成は、図１に示す実施形態１の画像形成システム１０の機能構成に同じである。また、実施形態２の画像形成装置と携帯端末の機能構成は、図２に示す実施形態１の画像形成装置１００と携帯端末２００の機能構成に同じである。以降、図１と図２を用いて説明する。
【００５１】
次に、実施形態２における原稿のプレビュー画像を確認する操作手順について、図５を用いて説明する。
まず、図５（１）に示すようにユーザーが画像形成装置１００の原稿台に原稿をセットし、ユーザーが携帯端末２００の操作パネル２３０から原稿印刷画面８００を表示する操作を行うと、図５（２）に示すように操作パネル２３０に原稿印刷画面８００が表示される。次いで、ユーザーが原稿印刷画面８００の「プレビュー画像表示」ボタン８１０をポイントすると、携帯端末２００は、プレビュー画像データ要求通知を画像形成装置１００に送信する。次いで、画像形成装置１００がプレビュー画像データ要求通知を受信すると、画像形成装置１００が原稿台にセットされている原稿の第１ページだけを読み取り、図５（３）に示すように画像形成装置１００が原稿の第１ページから作成したプレビュー画像データを携帯端末２００に送信する。携帯端末２００がプレビュー画像データを受信すると、操作パネル２３０に原稿の第１ページのプレビュー画像と「確認」ボタン８３０を表示する。次いで、ユーザーが操作パネル２３０に表示された原稿の第１ページのプレビュー画像を確認し、「確認」ボタン８３０をポイントすると、図５（４）に示すように操作パネル２３０に表示された原稿の第１ページのプレビュー画像と「確認」ボタン８３０が消去されて原稿印刷画面８００が再表示され、携帯端末２００はプレビュー画像データ削除通知を画像形成装置１００に送信する。画像形成装置２００は、プレビュー画像データ削除通知を受信すると、プレビュー画像データ記憶エリア１３０ｂに記憶されているプレビュー画像データを削除する。また、携帯端末２００は、プレビュー画像データ記憶エリア２２０ａに記憶されているプレビュー画像データを削除する。次いで、ユーザーが原稿印刷画面８００の「プリント画像出力」ボタン８２０をポイントすると、図５（５）に示すように携帯端末２００は、プリント画像出力通知を画像形成装置１００に送信する。画像形成装置１００は、プリント画像出力通知を受信すると、原稿読取部１６０により原稿台にセットされている残りの原稿のページを読み取り、画像処理部１７０により読み取った原稿データから画像データを作成し、画像データ記憶エリア１２０ａの記憶されている第１ページの画像データに追加して記憶する。次いで、画像形成装置１００は、プリント画像作成処理部１１０ａにより画像データ記憶エリア１２０ａから全ページの画像データを取り出し、この画像データから全ページのプリント画像データを作成し、プリント画像データ記憶エリア１３０ａに記憶する。次いで、画像形成装置１００は、プリント画像データ記憶エリア１３０ａから全ページのプリント画像データを取り出して印刷する。このように、プリント画像データが印刷されることでプリント画像データ記憶エリア１３０ａから全ページのプリント画像データを削除する。また、ページ数が多い原稿において、原稿の第１ページのプレビュー画像だけを作成することができる。
【００５２】
以上の実施形態２により、画像形成装置１００の原稿台にセットされた原稿の第１ページだけを読み取り、読み取った画像データからプレビュー画像データを作成するので、画像形成装置１００のメモリーやディスクの空き容量の減少を防止できる。これにより、メモリーやディスクの消費が制限されることで、プレビュー機能を搭載できなかった画像形成装置１００においても、メモリーやディスクの消費を抑制してプレビュー機能を実現できる。また、画像形成装置１００は、原稿の第１ページのプレビュー画像データだけを携帯端末２００に送信し、携帯端末２００は、原稿の第１ページのプレビュー画像データだけを記憶するので、携帯端末２００のメモリーの空き容量の減少も防止できる。
【００５３】
なお、実施形態２においては、１台の携帯端末２００から画像形成装置１００に対してプレビュー画像データ要求通知やプリント画像出力通知が送信される場合について説明したが、これに限定されない。複数の携帯端末２００から画像形成装置１００に対してプレビュー画像データ要求通知やプリント画像出力通知が送信された場合でも、同様に実施することができる。
【００５４】
例えば、まず、ユーザーＡが原稿台に原稿をセットし、携帯端末２００からユーザーＩＤを入力して、プレビュー画像表示要求を行うと、ユーザーＡのユーザーＩＤが格納されたプレビュー画像データ要求通知が画像形成装置１００に送信される。画像形成装置１００は、プレビュー画像データ要求通知を受信すると、原稿台にセットされた第１ページの原稿を読み取り、画像データ記憶エリア１２０ａのユーザーＡのエリアに読み取った原稿の画像データを記憶する。画像形成装置１００は、原稿のプレビュー画像データを作成すると、ユーザーＡの携帯端末２００に送信する。次に、ユーザーＢが原稿台からユーザーＡの原稿を取り出して、原稿台に自分の原稿をセットし、携帯端末２００からユーザーＩＤを入力して、プレビュー画像表示要求を行うと、ユーザーＢのユーザーＩＤが格納されたプレビュー画像データ要求通知が画像形成装置１００に送信される。画像形成装置１００は、プレビュー画像データ要求通知を受信すると、原稿台にセットされた第１ページの原稿を読み取り、画像データ記憶エリア１２０ａのユーザーＢのエリアに読み取った原稿の画像データを記憶する。画像形成装置１００は、原稿のプレビュー画像データを作成すると、ユーザーＢの携帯端末２００に送信する。次に、ユーザーＡが原稿台からユーザーＢの原稿を取り出して、原稿台に自分の残りの原稿（第１ページ以外の原稿）をセットし、ユーザーＡが携帯端末２００からユーザーＩＤを入力して、プリント画像出力要求を行うと、ユーザーＡのユーザーＩＤが格納されたプリント画像出力通知が画像形成装置１００に送信される。画像形成装置１００は、プリント画像出力通知を受信すると、ユーザーＡの残りの原稿を読み取り、画像データ記憶エリア１２０ａのユーザーＡのエリアに読み取った残りの原稿の画像データを記憶する。画像形成装置１００は、画像データ記憶エリア１２０ａのユーザーＡのエリアから画像データを取り出し、画像データからプリント画像データを作成すると、プリント画像データを印刷する。次に、ユーザーＢが原稿台に自分の残りの原稿（第１ページ以外の原稿）をセットし、ユーザーＢが携帯端末２００からユーザーＩＤを入力して、プリント画像出力要求を行うと、ユーザーＢのユーザーＩＤが格納されたプリント画像出力通知が画像形成装置１００に送信される。画像形成装置１００は、プリント画像出力通知を受信すると、ユーザーＢの残りの原稿を読み取り、画像データ記憶エリア１２０ａのユーザーＢのエリアに読み取った残りの原稿の画像データを記憶する。画像形成装置１００は、画像データ記憶エリア１２０ａのユーザーＢのエリアから画像データを取り出し、画像データからプリント画像データを作成すると、プリント画像データを印刷する。このプリント画像出力要求は、ユーザーＢが先でユーザーＡが後であってもよい。このときには、ユーザーＢがプレビュー画像表示要求とプリント画像出力要求を続けて行い、その後ユーザーＡがプリント画像出力要求を行うことになる。
【００５５】
または、例えば、まず、ユーザーＡが原稿台に原稿をセットし、携帯端末２００からユーザーＩＤを入力して、プレビュー画像表示要求を行うと、ユーザーＡのユーザーＩＤが格納されたプレビュー画像データ要求通知が画像形成装置１００に送信される。画像形成装置１００は、プレビュー画像データ要求通知を受信すると、原稿台にセットされた全ページの原稿を読み取り、画像データ記憶エリア１２０ａのユーザーＡのエリアに読み取った原稿の画像データを記憶する。画像形成装置１００は、原稿の第１ページのプレビュー画像データを作成すると、ユーザーＡの携帯端末２００に送信する。次に、ユーザーＢが原稿台に原稿をセットし、携帯端末２００からユーザーＩＤを入力して、プレビュー画像表示要求を行うと、ユーザーＢのユーザーＩＤが格納されたプレビュー画像データ要求通知が画像形成装置１００に送信される。画像形成装置１００は、プレビュー画像データ要求通知を受信すると、原稿台にセットされた全ページの原稿を読み取り、画像データ記憶エリア１２０ａのユーザーＡのエリアに読み取った原稿の画像データを記憶する。画像形成装置１００は、原稿の第１ページのプレビュー画像データを作成すると、ユーザーＢの携帯端末２００に送信する。次に、ユーザーＡが携帯端末２００からユーザーＩＤを入力して、プリント画像出力要求を行うと、ユーザーＡのユーザーＩＤが格納されたプリント画像出力通知が画像形成装置１００に送信される。画像形成装置１００は、プリント画像出力通知を受信すると、画像データ記憶エリア１２０ａのユーザーＡのエリアから画像データを取り出し、画像データからプリント画像データを作成すると、プリント画像データを印刷する。次に、ユーザーＢが携帯端末２００からユーザーＩＤを入力して、プリント画像出力要求を行うと、ユーザーＢのユーザーＩＤが格納されたプリント画像出力通知が画像形成装置１００に送信される。画像形成装置１００は、プリント画像出力通知を受信すると、画像データ記憶エリア１２０ａのユーザーＢのエリアから画像データを取り出し、画像データからプリント画像データを作成すると、プリント画像データを印刷する。このプリント画像出力要求は、ユーザーＢが先でユーザーＡが後であってもよい。
【００５６】
このように、画像形成装置１００の画像データ記憶エリア１２０ａにユーザーＡとユーザーＢのユーザーエリアを設け、またプレビュー画像データ要求通知やプリント画像出力通知がどのユーザーから要求されたかをユーザーＩＤなどで識別できるようにすることで、複数の携帯端末２００からの画像形成装置１００に対してプレビュー画像データ要求通知やプリント画像出力通知が送信された場合でも、プレビュー画像の確認後にプレビュー画像データを削除し、プリント画像データを印刷した後にプリント画像データを削除することができる。
【００５７】
なお、実施形態２においては、画像形成装置１００の原稿台にセットされた原稿の第１ページだけを最初に読み取るようにしたが、これに限定されない。原稿台にセットされた原稿の第１ページと次のページの２ページ、または第１ページ、次のページ、及びその次のページの３ページのように、プレビュー機能が使用できるメモリーの容量により最初に読み取る原稿のページ数を設定することも可能である。
【００５８】
なお、実施形態１及び実施形態２においては、ユーザーがプレビュー画像を確認した後に画像形成装置１００及び携帯端末２００に記憶されているプレビュー画像データを削除するようにしたが、これに限定されない。例えば、携帯端末２００のメモリーに余裕があり、携帯端末２００のプレビュー画像データを記憶しておきたいときには、画像形成装置１００に記憶されているプレビュー画像データだけを削除することも可能である。
【００５９】
また、実施形態１及び実施形態２においては、画像形成装置１００は、携帯端末２００からプレビュー画像データ要求通知を受信すると、原稿台にセットされた原稿を読み取り、この原稿のプレビュー画像データを携帯端末２００に送信するようにしたが、これに限定されない。例えば、他の画像形成装置１００や携帯端末２００から受信した画像データ記憶エリア１２０ａに記憶されている画像データのプレビュー画像データを、送信することも可能である。
【００６０】
また、実施形態１及び実施形態２においては、画像形成装置１００と携帯端末２００とをネットワーク４００で接続し、ネットワーク４００により携帯端末２００と画像形成装置１００はデータの送受信を行うようにしたが、これに限定されない。例えば、画像形成装置１００の近距離無線通信部１８０と携帯端末２００の近距離無線通信部２５０により、画像形成装置１００と携帯端末２００とを近距離無線通信で接続し、この近距離無線通信により携帯端末２００と画像形成装置１００がデータの送受信することも可能である。また、画像形成装置１００と携帯端末２００をインターネット６００により接続し、インターネット６００の通信プロトコルを用いて、携帯端末２００と画像形成装置１００がデータの送受信することも可能である。
【００６１】
また、実施形態１及び実施形態２においては、画像形成装置１００が画像データからプレビュー画像データを作成するようにしたが、これに限定されない。例えば、携帯端末２００が画像形成装置１００から画像データを受信して、この画像データからプレビュー画像データを作成してプレビュー画像を表示することも可能である。
【００６２】
また、実施形態１及び実施形態２においては、プレビュー画像と「確認」ボタン８３０を合成した画像を作成して操作パネル２３０に表示するようにしたが、これに限定されない。例えば、操作パネル２３０にはプレビュー画像だけを表示し、携帯端末２００が備えている「決定」ボタンなどを「確認」ボタン８３０の代わりに用いることも可能である。
【００６３】
また、実施形態１及び実施形態２においては、携帯端末２００は無線通信により画像形成装置１００からプレビュー画像データを受信するようにしたが、これに限定されない。例えば、携帯端末２００を携帯可能なＰＣ（パソコン）とし、このＰＣをネットワーク４００に直接接続して画像形成装置１００からプレビュー画像データを受信することも可能である。
【００６４】
このような本発明の画像形成システム及び携帯端末は、プレビュー画像を確認した後にプレビュー画像データを削除することができ、また、メモリーの消費を抑制できるプレビュー機能を提供する。
【００６５】
以上、具体的な実施の形態により本発明を説明したが、上記実施の形態は本発明の例示であり、この実施の形態に限定されないことは言うまでもない。
【産業上の利用可能性】
【００６６】
本発明の画像形成システム及び携帯端末は、プレビュー画像データの画像が表示可能な携帯端末及びこのような携帯端末を備えるあらゆるシステムに適用できる。
【符号の説明】
【００６７】
１０・・・・・画像形成システム
１００・・・・・画像形成装置
１１０・・・・・制御部
１１０ａ・・・・プリント画像作成処理部
１１０ｂ・・・・プレビュー画像作成処理部
１１０ｃ・・・・プレビュー画像送信処理部
１１０ｄ・・・・プレビュー画像データ削除処理部
１２０・・・・・メモリー部
１２０ａ・・・・画像データ記憶エリア
１３０・・・・・記憶部
１３０ａ・・・・プリント画像データ記憶エリア
１３０ｂ・・・・プレビュー画像データ記憶エリア
１４０・・・・・操作パネル
１５０・・・・・操作パネル処理部
１６０・・・・・原稿読取部
１７０・・・・・画像処理部
１８０・・・・・近距離無線通信部
１９０・・・・・ネットワーク通信部
２００・・・・・携帯端末
２１０・・・・・制御部
２１０ａ・・・・プレビュー画像表示要求処理部
２１０ｂ・・・・プレビュー画像確認処理部
２２０・・・・・メモリー部
２２０ａ・・・・プレビュー画像データ記憶エリア
２３０・・・・・操作パネル
２４０・・・・・操作パネル処理部
２５０・・・・・近距離無線通信部
２６０・・・・・ネットワーク通信部
３００・・・・・アクセスポイント
４００・・・・・ネットワーク
５００・・・・・ルーター
６００・・・・・インターネット
７００・・・・・アクセスポイント
８００・・・・・原稿印刷画面
８１０・・・・・「プレビュー画像表示」ボタン
８２０・・・・・「プリント画像出力」ボタン
８３０・・・・・「確認」ボタン
【図１】
2015194991.tif 000003
【図２】
2015194991.tif 000004
【図３】
2015194991.tif 000005
【図４】
2015194991.tif 000006
【図５】
2015194991.tif 000007